(57)【要約】      （修正有）【課題】太陽電池を別体で設ける必要、及び太陽電池の角度を保持する機構が必要とならず、形成や維持に係わる作業を簡便なものとできる自発光視線誘導標を提供する。【解決手段】庇部４及び筐体２の上面４１、２５により形成された上端面５に太陽電池３を設けることで太陽電池３を別体で設ける必要がなく、また上端面５が位置する視線誘導標上面は太陽光の受光効率が最も高くなる箇所であるから太陽電池３の角度を調整することなく高い発電効率を確保でき、太陽電池３の角度を保持する機構が必要とならず、形成や維持に係わる作業を簡便なものとすることができる。更に、上端面５が連続した面となされていることで、一体の面状の太陽電池３を用いることができ、太陽電池３の取り付け作業の低減でき、また太陽電池３同士の接続部をなくして発電効率の向上に繋げることができる。【選択図】        図２
2006045939.tif 000002
【特許請求の範囲】
【請求項１】
複数のＬＥＤが配置された発光部と、前記発光部の上方から前方に突設された庇部と、前記発光部を前面側に備え前記ＬＥＤの発光に係わる機器を収納している筐体と、前記ＬＥＤの発光に用いられる電力を生起する太陽電池とを備え、前記庇部の上面と前記筐体の上面とが連続した面である上端面となされ、該上端面に前記太陽電池が配置されていることを特徴とする自発光視線誘導標。
【請求項２】
前記ＬＥＤは、前面に前記ＬＥＤから発せられた光線を前面側に全反射させる円錐状のレンズが配置され、該レンズはＬＥＤと対向して凸面部が形成され、ＬＥＤの光線が円錐状側面と凸面部とにより平行光線として外部に放射されるようになされていることを特徴とする請求項１に記載の自発光視線誘導標。
【発明の詳細な説明】
【技術分野】
【０００１】
本発明は、道路の主に路肩や中央分離帯などに設置され、車両の運転者の視線を誘導する自発光視線誘導標に関するものである。
【背景技術】
【０００２】
ＬＥＤ（発光ダイオード）は電球などと比較して光線の指向性が強く、また発光寿命も長くメンテナンスが少なくて済むことから、夜間において車両の運転者に対する視線誘導を行うに当たり好適に用いられてきているものであり、また多くの関連する発明が開示されてきている。
【０００３】
例えば特許文献１において、電源により発光するＬＥＤを基板に対して多数取り付けてなり、電源として太陽電池及び蓄電池を用いた視線誘導標が開示されている。
【０００４】
【特許文献１】特開平９−３１９２８号公報
【発明の開示】
【発明が解決しようとする課題】
【０００５】
しかしながら、特許文献１に記載の如き視線誘導標は、太陽電池を別体で設ける必要があり、形成に係わる作業が繁雑になるものであった。また太陽光を効率よく受光するのに、太陽電池の角度を保持する機構を設ける必要があり、構造が複雑で形成や維持に係わる作業も煩雑になるものであった。
【０００６】
本発明は上記の如き課題に鑑みてなされたものであり、太陽電池を別体で設ける必要、及び太陽電池の角度を保持する機構が必要とならず、形成や維持に係わる作業を簡便なものとできる自発光視線誘導標を提供せんとするものである。
【課題を解決するための手段】
【０００７】
上記目的を達成するため、本発明は以下のような構成としている。すなわち、本発明に係わる自発光視線誘導標は、複数のＬＥＤが配置された発光部と、前記発光部の上方から前方に突設された庇部と、前記発光部を前面側に備え前記ＬＥＤの発光に係わる機器を収納している筐体と、前記ＬＥＤの発光に用いられる電力を生起する太陽電池とを備え、前記庇部の上面と前記筐体の上面とが連続した面である上端面となされ、該上端面に前記太陽電池が配置されていることを特徴とするものである。
【０００８】
また前記ＬＥＤは、前面に前記ＬＥＤから発せられた光線を前面側に全反射させる円錐状のレンズが配置され、該レンズはＬＥＤと対向して凸面部が形成され、ＬＥＤの光線が円錐状側面と凸面部とにより平行光線として外部に放射されるようになされていれば、ＬＥＤからの光を略円筒状の形状のものとしてＬＥＤ単独の場合より広い範囲で、且つ光線の拡散による発光輝度の低下を抑制し、光線が視認される効率を高めることで高い視線誘導効果が得られるようになり好ましい。
【発明の効果】
【０００９】
本発明に係わる自発光視線誘導標によれば、庇部及び筐体の上面により形成された上端面に太陽電池を設けることで太陽電池を別体で設ける必要がなく、また上端面が位置する視線誘導標上面は太陽光の受光効率が最も高くなる箇所であるから太陽電池の角度を調整することなく高い発電効率を確保でき、太陽電池の角度を保持する機構が必要とならず、形成や維持に係わる作業を簡便なものとすることができる。更に、上端面が連続した面となされていることで、一体の面状の太陽電池を用いることができ、太陽電池の取り付け作業の低減でき、また太陽電池同士の接続部をなくして発電効率の向上に繋げることができる。
【発明を実施するための最良の形態】
【００１０】
本発明に係わる最良の実施の形態について、図面に基づき以下に具体的に説明する。
【００１１】
図１は、本発明に係わる自発光視線誘導標の、実施の一形態を示す斜視図である。自発光視線誘導標１０は、支柱２０に取り付けられて設けられたものであって、筐体２の前面に複数のＬＥＤ１１が配置された発光部１が設けられ、発光部１の上方から前方に庇部４が突設され、筐体２及び庇部４の上面には太陽電池セル３１を備えた太陽電池３が配置されている。また、発光部１の側方から前方にも側板部Ｓが突設され、庇部４と側板部Ｓとにより発光部１へ入射される太陽光等周囲からの光が低減されて昼間における視認性が高められている。
【００１２】
図２は、図１のＡ−Ａ断面を示す自発光視線誘導標１０の側方からの断面図である。金属板Ｍ１が折り曲げ加工されて、庇部４と、筐体２の上面板２１及び背面板２２が形成され、更に折り曲げ加工された金属板Ｍ２により、下面板２３及び前面板２４が形成されている。前面板２４には円形の透光孔２４１が穿設され、更に前面板２４の背後に発光部１が設けられている。発光部１は、基板１２に複数のＬＥＤ１１が取り付けられ、基板１２が透光性の樹脂を用いて形成された縁付きの駆体１３にビスＢ１を用いて取り付けられて形成されている。筐体２内には、太陽電池３により生起された電力を蓄電し且つＬＥＤ１１に発光に係わる電力を供給する蓄電池Ｔや、点滅発光を制御する制御機器Ｃといった発光に係わる機器が収納されている。また本実施形態に示す太陽電池３は、太陽電池セル３１をＥＶＡである透光性の合成樹脂３２により封止して形成したものである。
【００１３】
ここで庇部４の上面４１と、筐体の上面２５とは、金属板Ｍ１により一体に形成されていることで、自発光視線誘導標１０における上端面５となされており、上端面５に太陽電池３が配置されることで、上端面５全体の面積を占める太陽電池３を配置することができ、庇部４又は筐体２の上面２５のみに太陽電池を配置する場合と較べて大きな面積を確保することができ、また庇部４及び筐体２の上面２５に各々太陽電池を設ける場合と較べ接続等を行う必要がなくなり、高い発電効率を得ることができる。更に太陽電池３は上端面５に設けられることで、太陽電池を別体として設ける場合の如き太陽電池を支持するプレートや、当該プレートの角度を保持するための機構も必要とされず、形成や維持に係わる作業を格段に低減することができる。
【００１４】
図３は、本実施形態における発光部の変形の一例を示す、図１のＡ−Ａ断面図である。発光部１は、ＬＥＤ１１の前面に円錐状のレンズ１４が配置され、レンズ１４は透光性の合成樹脂からなり、円錐状側面１４１と、ＬＥＤ１１と相対向して凸面部１４２とが設けられ、駆体１３と一体に成形されたものである。
【００１５】
図４は、図３に示したレンズ１４を用いた場合の光の進行方向を説明する断面図である。レンズ１４のＬＥＤ孔１４３にＬＥＤ１１が装着され、ＬＥＤ孔１４３の底部が凸面部１４２となされている。ＬＥＤ１１の発光素子１１１から発光がなされ前方に放射される光線Ｌ１は、ＬＥＤ１１から放射される際には僅かに拡がりを持って前方に放射されるが、凸面部１４２により屈折されて前方に直進する平行光線となされる、
【００１６】
またＬＥＤ１１の側方に放射された光線Ｌ２は、レンズ１４のＬＥＤ孔１４３の内側面からレンズ１４内に入射され、レンズ１４の側面に形成された円錐状側面１４１により前方に全反射され、レンズ１４の前面１４４から前方に向かって光線Ｌ４となって放射される。ここでレンズ１４の形成に用いる材質の屈折率とＬＥＤ１１からＬＥＤ孔１４３の内面に入射する光線Ｌ２の入射角度に応じて光線Ｌ４が略平行になるように円錐状側面１４１の曲率半径を設定し、且つ円錐状側面１４１の曲率半径をレンズ１４側面において一定としておけば、発光素子１１１の位置に係わらずＬＥＤ１１の側方に放射される光線を前方に効率よく放射でき好ましい。
【００１７】
レンズ１４において、前面１４４と平行である断面は、多角形、楕円形等でもよいが真円に近いものであれば、レンズ１４内における不要な回折を少なくでき、ＬＥＤ１１から発光された光線Ｌ１、Ｌ２を最も効率よく前方に導くことができ好ましい。
【００１８】
かかる構造により、レンズ１４の前面１４４から放射される光線の形状は線状でも円錐状でもなく円筒状に近いものとなり、ＬＥＤから直接発光されるものや、ＬＥＤ群の前面に凸レンズ等のレンズが配置されたものなどと較べ、光線が適度に拡散されて広い面積から光線が放射されるようになり、また光線の拡散が抑えられてＬＥＤ１１からの光線を効率よく前方に放射して発光輝度を高め、過度のＬＥＤの配置を行うことなく高い視線誘導効果を得ることができる。
【００１９】
また、レンズ１４から発光される光線の形状が円筒状となされていることから、レンズ１４の前面を視線誘導を目的とする方向に向ければ、主として視線誘導の対象となる方向に光線を放射でき、視線誘導の対象とならない方向において不要な光線による眩惑等が生じることを防止できる。
【図面の簡単な説明】
【００２０】
【図１】本発明に係わる自発光視線誘導標の、実施の一形態を示す斜視図である。
【図２】図１のＡ−Ａ断面図である。
【図３】発光部の変形の一例を示す断面図である。
【図４】レンズを用いた場合の光の進行方向を説明する断面図である。
【符号の説明】
【００２１】
１    発光部
１１  ＬＥＤ
１４  レンズ
１４１  円錐状側面
１４２  凸面部
２    筐体
２５  筐体の上面
３    太陽電池
４    庇部
４１  庇部の上面
５    上端面
１０  自発光視線誘導標
【図１】
2006045939.tif 000003
【図２】
2006045939.tif 000004
【図３】
2006045939.tif 000005
【図４】
2006045939.tif 000006